(57)【要約】  当該基地局装置が移動局装置に割り当てたランダムアクセス識別情報と、移動局装置識別情報とを対応付けて記憶するランダムアクセス識別情報記憶部と、ランダムアクセス識別情報を受信するランダムアクセス受信部と、受信したランダムアクセス識別情報がランダムアクセス識別情報記憶部に記憶されているときは、該受信したランダムアクセス識別情報のランダムアクセスレスポンス情報を、ランダムアクセス識別情報記憶部で記憶されているランダムアクセス識別情報に対応した移動局装置識別情報を使用して送信するか、ランダムアクセスレスポンス送信用に割り当てられた識別情報を使用して送信するかを決定するスケジューリング部と、スケジューリング部の決定に従い、ランダムアクセスレスポンス情報を配置して送信する送信部とを具備することを特徴とする基地局装置。
2008153095.tif 000002
【特許請求の範囲】
【請求項１】
移動局装置と無線通信する基地局装置において、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備することを特徴とする基地局装置。
【請求項２】
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、下りリンクのトラフィック量に基づき決定することを特徴とする請求項１に記載の基地局装置。
【請求項３】
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、同時に送信するランダムアクセスレスポンス情報の数に基づき決定することを特徴とする請求項１に記載の基地局装置。
【請求項４】
前記スケジューリング部は、同時に送信するランダムアクセスレスポンス情報の数を、一つのランダムアクセスレスポンス内に配置可能なランダムアクセスレスポンス情報の数で割ったときの剰余が１のときは、同時に送信するランダムアクセスレスポンス情報のうち、前記ランダムアクセス識別情報記憶部が記憶するランダムアクセス識別情報のランダムアクセスに対する応答であるランダムアクセスレスポンス情報１つをその送信先の移動局装置に割り当てられた移動局装置識別情報を使用し、残りのランダムアクセスレスポンス情報をランダムアクセスレスポンス送信用に割り当てられた識別情報を使用することを特徴とする請求項３に記載の基地局装置。
【請求項５】
基地局装置と無線通信する移動局装置において、
移動局装置が送信するランダムアクセスを識別するランダムアクセス識別情報を記憶するランダムアクセス識別情報記憶部と、
前記ランダムアクセス識別情報記憶部が記憶しているランダムアクセス識別情報、または当該移動局装置で決定したランダムアクセス識別情報をランダムアクセスにより送信する送信部と、
当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記ランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンス情報を抽出するランダムアクセスレスポンス受信部と
を具備することを特徴とする移動局装置。
【請求項６】
移動局装置と無線通信する基地局装置と前記移動局装置とを具備する無線通信システムにおいて、
前記移動局装置は、
移動局装置が送信するランダムアクセスを識別するランダムアクセス識別情報を記憶する第１のランダムアクセス識別情報記憶部と、
前記第１のランダムアクセス識別情報記憶部が記憶しているランダムアクセス識別情報、または当該移動局装置で決定したランダムアクセス識別情報をランダムアクセスにより送信する送信部と、
当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記第１のランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンス情報を抽出するランダムアクセスレスポンス受信部と
を具備し、
前記基地局装置は、
当該基地局装置が前記移動局装置に割り当てたランダムアクセス識別情報と、該移動局装置を識別する移動局装置識別情報とを対応付けて記憶する第２のランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、当該ランダムアクセスレスポンスの送信先の移動局装置に割り当てられた移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備することを特徴とする無線通信システム。
【請求項７】
移動局装置と無線通信する基地局装置であって、当該基地局装置が前記移動局装置に割り当てたランダムアクセス識別情報と、該移動局装置を識別する移動局装置識別情報とを対応付けて記憶するランダムアクセス識別情報記憶部を具備する基地局装置が具備するコンピュータを、
前記移動局装置がランダムアクセスにより送信したランダムアクセス識別情報を受信するランダムアクセス受信部、
受信した前記ランダムアクセス識別情報が前記ランダムアクセス識別情報記憶部に前記移動局装置識別情報と対応付けて記憶されているときは、該受信したランダムアクセス識別情報の前記ランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部、
前記スケジューリング部の決定に従い、前記ランダムアクセスレスポンス情報を配置して送信する送信部
として機能させるためのプログラム。
【請求項８】
基地局装置と無線通信する移動局装置であって、移動局装置が送信するランダムアクセスを識別するランダムアクセス識別情報を記憶するランダムアクセス識別情報記憶部を具備する移動局装置が具備するコンピュータを、
前記ランダムアクセス識別情報記憶部が記憶しているランダムアクセス識別情報、または当該移動局装置で決定したランダムアクセス識別情報をランダムアクセスにより送信する送信部と、
当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記ランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた識別情報とのいずれかを検出し、検出した該識別情報のランダムアクセスレスポンスから当該移動局装置宛てのランダムアクセスレスポンスを抽出するランダムアクセスレスポンス受信部
として機能させるプログラム。
【請求項９】
移動局装置と無線通信し、当該基地局装置が前記移動局装置に割り当てたランダムアクセス識別情報と、該移動局装置を識別する移動局装置識別情報とを対応付けて記憶するランダムアクセス識別情報記憶部を具備する基地局装置におけるランダムアクセスレスポンス送信方法において、
前記基地局装置が、前記移動局装置がランダムアクセスにより送信したランダムアクセス識別情報を受信する第１の過程と、
前記基地局装置が、受信した前記ランダムアクセス識別情報が前記ランダムアクセス識別情報記憶部に前記移動局装置識別情報と対応付けて記憶されているときは、該受信したランダムアクセス識別情報の前記ランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定する第２の過程と、
前記基地局装置が、前記第２の過程による決定に従い、前記ランダムアクセスレスポンス情報を配置して送信する第３の過程と
を具備することを特徴とするランダムアクセスレスポンス送信方法。
【請求項１０】
基地局装置と無線通信し、移動局装置が送信するランダムアクセスを識別するランダムアクセス識別情報を記憶するランダムアクセス識別情報記憶部を具備する移動局装置におけるランダムアクセスレスポンス受信方法において、
前記移動局装置が、前記ランダムアクセス識別情報記憶部が記憶しているランダムアクセス識別情報、または当該移動局装置で決定したランダムアクセス識別情報をランダムアクセスにより送信する第１の過程と、
前記移動局装置が、前記第１の過程にて当該移動局装置で決定したランダムアクセス識別情報を送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンスを抽出し、前記第１の過程にて前記ランダムアクセス識別情報記憶部が記憶しているランダムアクセス識別情報を送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンスを抽出する第２の過程と
を具備することを特徴とするランダムアクセスレスポンス受信方法。
【発明の詳細な説明】
【技術分野】
【０００１】
本発明は、基地局装置、移動局装置、無線通信システム、プログラム、ランダムアクセスレスポンス送信方法およびランダムアクセスレスポンス受信方法、特に、上りリンクにおいてランダムアクセスを行う基地局装置、移動局装置、無線通信システム、プログラム、ランダムアクセスレスポンス送信方法およびランダムアクセスレスポンス受信方法に関する。
本願は、２００７年６月１５日に、日本に出願された特願２００７−１５９１５０号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access：高速下りパケット接続）も標準化され、サービスが開始されようとしている。【０００３】
一方、３ＧＰＰでは、第三世代無線アクセスの進化（Evolved Universal Terrestrial Radio Access；以下、「ＥＵＴＲＡ」という）が検討されている。ＥＵＴＲＡの下りリンクとして、ＯＦＤＭ（Orthogonal Frequency Division Multiplexing；直交周波数分割多重）方式が提案されている。また、ＥＵＴＲＡの上りリンクとして、ＤＦＴ（Discrete Fourier Transform；離散フーリエ変換）−ｓｐｒｅａｄ  ＯＦＤＭ方式のシングルキャリア通信方式が提案されている。【０００４】
図７は、ＥＵＴＲＡの上りリンクおよび下りリンクのチャネル構成を示す図である。ＥＵＴＲＡの下りリンクは、下りリンクパイロットチャネルＤＰｉＣＨ（Ｄｏｗｎｌｉｎｋ  Ｐｉｌｏｔ  Ｃｈａｎｎｅｌ）、下りリンク同期チャネルＤＳＣＨ（Ｄｏｗｎｌｉｎｋ  Ｓｙｎｃｈｒｏｎｉｚａｔｉｏｎ  Ｃｈａｎｎｅｌ）、下りリンク共用チャネルＰＤＳＣＨ（Ｐｈｙｓｉｃａｌ  Ｄｏｗｎｌｉｎｋ  Ｓｈａｒｅｄ  Ｃｈａｎｎｅｌ）、下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、共通制御チャネルＣＣＰＣＨ（Ｃｏｍｍｏｎ  Ｃｏｎｔｒｏｌ  Ｐｈｙｓｉｃａｌ  Ｃｈａｎｎｅｌ）により構成されている。
ＥＵＴＲＡの上りリンクは、上りリンクパイロットチャネルＵＰｉＣＨ（Ｕｐｌｉｎｋ  Ｐｉｌｏｔ  Ｃｈａｎｎｅｌ）、ランダムアクセスチャネルＲＡＣＨ（Ｒａｎｄｏｍ  Ａｃｃｅｓｓ  Ｃｈａｎｎｅｌ）、上りリンク共用チャネルＰＵＳＣＨ（Ｐｈｙｓｉｃａｌ  Ｕｐｌｉｎｋ  Ｓｈａｒｅｄ  Ｃｈａｎｎｅｌ）、上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）により構成されている（非特許文献１、２を参照）。【０００５】
図８は、上りリンクの無線リソース構成例を示した図である。図８に示す図は、横軸に時間をとり、縦軸に周波数をとっている。図８は、１つの無線フレームの構成を示しており、この無線フレームは複数のリソースブロックに分割される。この例では、リソースブロックは、周波数方向に１．２５ＭＨｚ、時間方向に１ｍｓの領域を単位として構成され、これらの領域に、図７にて説明したランダムアクセスチャネルＲＡＣＨと、上りリンク共用チャネルＰＵＳＣＨと、上りリンク制御チャネルＰＵＣＣＨとが図示のように割り当てられている。
すなわち、ランダムアクセスチャネルＲＡＣＨを割り当てるリソースブロックは、ドットでハッチングした領域で示し、上りリンク共用チャネルＰＵＳＣＨを割り当てるリソースブロックは、空白の領域で示し、上りリンク制御チャネルＰＵＣＣＨを割り当てるリソースブロックは、横線でハッチングした領域で示す。【０００６】
Ｅ−ＵＴＲＡの上りリンクのランダムアクセスチャネルＲＡＣＨには、非同期ランダムアクセスチャネルと同期ランダムアクセスチャネルがある。非同期ランダムアクセスチャネルの最小単位としては、１．２５ＭＨｚ帯域を使用する。基地局装置は、複数のランダムアクセス用チャネルを用意して、多数の移動局からのアクセスに対応する。非同期ランダムアクセスチャネルの使用目的のうち最大のものは、移動局−基地局間を同期させることであり、その他に無線リソースを割当てるスケジューリングのリクエストなどの数ビットの情報も非同期ランダムアクセスチャネルを用いて送信して、接続時間を短くすることもできる。また、同期ランダムアクセスの使用目的は、スケジューリングリクエストを行うこととなっている。（非特許文献２）【０００７】
非同期ランダムアクセスには、Ｃｏｎｔｅｎｔｉｏｎｅｄ  ｂａｓｅｄ  Ｒａｎｄｏｍ  ＡｃｃｅｓｓとＮｏｎ−ｃｏｎｔｅｎｔｉｏｎｅｄ  ｂａｓｅｄ  Ｒａｎｄｏｍ  Ａｃｃｅｓｓの２つのアクセス方法があり、Ｃｏｎｔｅｎｔｉｏｎｅｄ  ｂａｓｅｄ  Ｒａｎｄｏｍ  Ａｃｃｅｓｓは、移動局装置間で衝突する可能性のあるランダムアクセスであり、通常行われるランダムアクセスである。Ｎｏｎ−ｃｏｎｔｅｎｔｉｏｎｅｄ  ｂａｓｅｄ  Ｒａｎｄｏｍ  Ａｃｃｅｓｓは、移動局装置間で衝突が発生しないランダムアクセスであり、迅速に移動局装置−基地局装置間の同期をとるためにハンドオーバー等の特別な場合に基地局装置主導で行われる。【０００８】
非同期ランダムアクセスでは、同期をとるためにプリアンブルのみを送信する。これをランダムアクセスプリアンブルと称する。このプリアンブルには、情報を表す信号パターンであるシグネチャが含まれている。数十種類のシグネチャを用意しておき、これらの中から選択して用いることで、数ビットの情報を表現することができる。現在、ＥＵＴＲＡでは、シグネチャにより６ビットの情報を送信する。この６ビットのために、２の６乗の６４種類のシグネチャが用意される。
シグネチャによる６ビットのうち、５ビットにランダムＩＤを割当て、残りの１ビットにランダムアクセスの理由、下りリンクのパスロス／ＣＱＩ（Ｃｈａｎｎｅｌ  Ｑｕａｌｉｔｙ  Ｉｎｄｉｃａｔｏｒ）などのいずれかの情報を割り当てる（非特許文献３を参照）。【０００９】
図９は、非同期ランダムアクセスのＣｏｎｔｅｎｔｉｏｎｅｄ  ｂａｓｅｄ  Ｒａｎｄｏｍ  Ａｃｃｅｓｓ（競合ランダムアクセス）の手順例である。まず、移動局装置が、ランダムＩＤ、下りリンクのパスロス／ＣＱＩ情報などから、シグネチャを選択し、非同期ランダムアクセスチャネルでランダムアクセスプリアンブルを送信する（メッセージＭａ１）。基地局装置は、移動局装置からのプリアンブルを受信すると、プリアンブルから移動局装置−基地局装置間の同期タイミングずれを算出して同期タイミングずれ情報を生成し、Ｌ２／Ｌ３（Ｌａｙｅｒ２／Ｌａｙｅｒ３）メッセージを送信するためのスケジューリングを行いスケジューリング情報を生成し、仮のセル内移動局識別情報（Ｃｅｌｌ−Ｒａｄｉｏ  Ｎｅｔｗｏｒｋ  Ｔｅｍｐｏｌａｒｙ  Ｉｄｅｎｔｉｔｙ：以下、「Ｔｅｍｐｏｌａｒｙ  Ｃ−ＲＮＴＩ」という）を割り当てる。【００１０】
基地局装置は、下りリンク制御チャネルＰＤＣＣＨにランダムアクセスチャネルにプリアンブルを送信した移動局装置宛の応答であるランダムアクセスレスポンスが下りリンク共用チャネルＰＤＳＣＨに配置されていることを示すＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｌａｒｙ  Ｉｄｅｎｔｉｔｙ）を配置する。さらに、基地局装置は、該ＲＡ−ＲＮＴＩにてランダムアクセスレスポンスの配置を通知した下りリンク共用チャネルＰＤＳＣＨのリソースブロックにて、同期タイミングずれ情報、スケジューリング情報、Ｔｅｍｐｏｌａｒｙ  Ｃ−ＲＮＴＩおよび受信したプリアンブルのシグネチャＩＤ番号（またはランダムＩＤ）を含んだランダムアクセスレスポンスを送信する（メッセージＭａ２）。なお、ＲＡ−ＲＮＴＩは、Ｃ−ＲＮＴＩとして用いられない特定の値であり、移動局装置は、該特定の値を検出することで、ランダムアクセスレスポンスが下りリンク共用チャネルＰＤＳＣＨへ配置されていることを識別する。【００１１】
図１０は、ＲＡ−ＲＮＴＩにて配置を通知したときのランダムアクセスレスポンスの下りリンク共用チャネルＰＤＳＣＨへの配置例である。図１０に示すように、ＲＡ−ＲＮＴＩにて、ランダムアクセスレスポンスの配置を通知した場合は、下りリンク共用チャネルＰＤＳＣＨの１つのリソースブロックに、同期タイミングずれ情報、スケジューリング情報、Ｔｅｍｐｏｌａｒｙ  Ｃ−ＲＮＴＩおよび受信したプリアンブルのシグネチャＩＤ番号からなるランダムアクセスレスポンスメッセージを複数移動局装置分（図１０では、ｎ台分）収容することができる。【００１２】
移動局装置は、下りリンク制御チャネルＰＤＣＣＨにＲＡ−ＲＮＴＩがあることを確認すると、下りリンク共用チャネルＰＤＳＣＨに配置されたランダムアクセスレスポンスの中身を確認し、送信したプリアンブルのシグネチャＩＤ番号（またはランダムＩＤ）が含まれる応答を抽出し、該応答内の同期タイミングずれ情報に基づいて同期ずれを補正する。次に、移動局装置は、受信したスケジューリング情報に基づいて、スケジューリングされたリソースブロックで少なくともＣ−ＲＮＴＩ（又はＴｅｍｐｏｌａｒｙ  Ｃ−ＲＮＴＩ）を含むＬ２／Ｌ３メッセージを送信する（メッセージＭａ３）。基地局装置は、移動局装置からのＬ２／Ｌ３メッセージを受信すると、受信したＬ２／Ｌ３メッセージに含まれるＣ−ＲＮＴＩ（又はＴｅｍｐｏｌａｒｙ  Ｃ−ＲＮＴＩ）を使用して移動局装置間で衝突が起こっているかどうか判断するためのコンテンションレゾリューションを移動局装置に送信する（メッセージＭａ４）（非特許文献３を参照）。【００１３】
図１１は、非同期ランダムアクセスのＮｏｎ−ｃｏｎｔｅｎｔｉｏｎｅｄ  ｂａｓｅｄ  Ｒａｎｄｏｍ  Ａｃｃｅｓｓ（非競合ランダムアクセス）の手順例である。まず、基地局装置が、シグネチャＩＤ番号を選択し、プリアンブル割当を下りリンク共用チャネルＰＤＳＣＨにて移動局装置に通知する（メッセージＭｂ１）。移動局装置は通知されたシグネチャＩＤ番号を使用し、非同期ランダムアクセスチャネルでランダムアクセスプリアンブルを送信する（メッセージＭｂ２）。基地局装置は、移動局装置からのランダムアクセスプリアンブルを受信すると、このプリアンブルから移動局装置−基地局装置間の同期タイミングずれを算出する。次に基地局装置は、下りリンク制御チャネルＰＤＣＣＨに移動局装置宛の応答を示すＲＡ−ＲＮＴＩ、または、Ｃ−ＲＮＴＩを配置し、下りリンク共用チャネルＰＤＳＣＨで同期タイミングずれ情報を含んだランダムアクセスレスポンスを送信する（メッセージＭｂ３）。移動局装置は、受信したランダムアクセスレスポンスから同期タイミングずれを補正する（非特許文献３を参照）。
【非特許文献１】３ＧＰＰ  ＴＳ（Ｔｅｃｈｎｉｃａｌ  Ｓｐｅｃｉｆｉｃａｙｉｏｎ）３６．２１１、Ｖ１．１０（２００７−０５）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｐｈｙｓｉｃａｌ  Ｃｈａｎｎｅｌ  ａｎｄ  Ｍｕｄｕｌａｔｉｏｎ（Ｒｅｌｅａｓｅ  ８）
【非特許文献２】３ＧＰＰ  ＴＳ（Ｔｅｃｈｎｉｃａｌ  Ｓｐｅｃｉｆｉｃａｙｉｏｎ）３６．２１２、Ｖ１．２０（２００７−０５）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｍｕｌｔｉｐｌｅｘｉｎｇ  ａｎｄ  ｃｈａｎｎｅｌ  ｃｏｄｉｎｇ（Ｒｅｌｅａｓｅ  ８）
【非特許文献３】Ｒ２−０７２３３８  “Ｕｐｄａｔｅ  ｏｎ  Ｍｏｂｉｌｉｔｙ，  Ｓｅｃｕｒｉｔｙ，  Ｒａｎｄｏｍ  Ａｃｃｅｓｓ  Ｐｒｏｃｅｄｕｒｅ，  ｅｔｃ”，３ＧＰＰ  ＴＳＧ  ＲＡＮ  ＷＧ２  Ｍｅｔｔｉｎｇ＃５８  Ｋｏｂｅ，Ｊａｐａｎ，７−１１  Ｍａｙ，２００７
【発明の開示】
【発明が解決しようとする課題】
【００１４】
Ｅ−ＵＴＲＡにおいて、非同期ランダムアクセスのＮｏｎ−ｃｏｎｔｅｎｔｉｏｎｅｄ  ｂａｓｅｄ  Ｒａｎｄｏｍ  Ａｃｃｅｓｓのランダムアクセスレスポンス（メッセージＭｂ３）を、基地局装置から移動局装置へＲＡ−ＲＮＴＩで通知するか、Ｃ−ＲＮＴＩで通知するかという選択が存在することを本発明者は見出した。【００１５】
Ｃ−ＲＮＴＩを使用した場合は、通常のデータ送信と同様の方法なので、通常のデータ送信に用いられる再送処理（ＨＡＲＱ（Ｈｙｂｒｉｄ  Ａｃｋｎｏｅｌｅｄｇｍｅｎｔ  Ｒｅｐｅａｔ  ｒｅＱｕｅｓｔ））も行うことができ、ランダムアクセスレスポンスメッセージの信頼性が上がるという利点がある。また、Ｃ−ＲＮＴＩは、移動局装置の識別情報であるため、直ぐに自局装置宛のランダムアクセスレスポンスと認識できるという利点がある。しかし、同期タイミングずれの情報量だけで、ＰＤＳＣＨの１リソースブロックを使用してしまうという問題がある。【００１６】
一方、ＲＡ−ＲＮＴＩを使用した場合は、複数の移動局装置で下りリンク共用チャネルＰＤＳＣＨの１リソースブロックを共用することができるので下りリンク共用チャネルＰＤＳＣＨのチャネルの使用効率が良いという利点がある。しかし、１リソースブロックを複数の移動局装置で共用しているので再送処理ＨＡＲＱを使用できず、データの信頼性がＣ−ＲＮＴＩを使用する場合に比べ低いという問題がある。
また、ＲＡ−ＲＮＴＩを見ただけでは自局宛のランダムアクセスレスポンスかどうかわからず、下りリンク共用チャネルＰＤＳＣＨのデータの中身をみるまでわからないので、移動局装置において処理に時間がかかるという問題がある。【００１７】
解決しようとする問題点は、効率の良いランダムアクセスレスポンスメッセージの送受信を行うという点である。
【課題を解決するための手段】
【００１８】
本発明の基地局装置は、移動局装置と無線通信する基地局装置において、当該基地局装置が前記移動局装置に割り当てたランダムアクセス識別情報と、該移動局装置を識別する移動局装置識別情報とを対応付けて記憶するランダムアクセス識別情報記憶部と、前記移動局装置がランダムアクセスにより送信したランダムアクセス識別情報を受信するランダムアクセス受信部と、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、前記スケジューリング部の決定に従い、前記ランダムアクセスレスポンス情報を配置して送信する送信部とを具備することを特徴とする。【００１９】
また、本発明の基地局装置は、上述の基地局装置であって、前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、下りリンクのトラフィック量に基づき決定することを特徴とする。【００２０】
また、本発明の基地局装置は、上述の基地局装置であって、前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、同時に送信するランダムアクセスレスポンス情報の数に基づき決定することを特徴とする。【００２１】
また、本発明の基地局装置は、上述の基地局装置であって、前記スケジューリング部は、同時に送信するランダムアクセスレスポンス情報の数を、一つのランダムアクセスレスポンス内に配置可能なランダムアクセスレスポンス情報の数で割ったときの剰余が１のときは、同時に送信するランダムアクセスレスポンス情報のうち、前記ランダムアクセス識別情報記憶部が記憶するランダムアクセス識別情報のランダムアクセスに対する応答であるランダムアクセスレスポンス情報１つをその送信先の移動局装置に割り当てられた移動局装置識別情報を使用し、残りのランダムアクセスレスポンス情報をランダムアクセスレスポンス送信用に割り当てられた識別情報を使用することを特徴とする。【００２２】
また、本発明の移動局装置は、基地局装置と無線通信する移動局装置において、移動局装置が送信するランダムアクセスを識別するランダムアクセス識別情報を記憶するランダムアクセス識別情報記憶部と、前記ランダムアクセス識別情報記憶部が記憶しているランダムアクセス識別情報、または当該移動局装置で決定したランダムアクセス識別情報をランダムアクセスにより送信する送信部と、当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記ランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンス情報を抽出するランダムアクセスレスポンス受信部とを具備することを特徴とする。【００２３】
また、本発明の無線通信システムは、移動局装置と無線通信する基地局装置と前記移動局装置とを具備する無線通信システムにおいて、前記移動局装置は、移動局装置が送信するランダムアクセスを識別するランダムアクセス識別情報を記憶する第１のランダムアクセス識別情報記憶部と、前記第１のランダムアクセス識別情報記憶部が記憶しているランダムアクセス識別情報、または当該移動局装置で決定したランダムアクセス識別情報をランダムアクセスにより送信する送信部と、当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記第１のランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンス情報を抽出するランダムアクセスレスポンス受信部とを具備し、前記基地局装置は、当該基地局装置が前記移動局装置に割り当てたランダムアクセス識別情報と、該移動局装置を識別する移動局装置識別情報とを対応付けて記憶する第２のランダムアクセス識別情報記憶部と、前記移動局装置がランダムアクセスにより送信したランダムアクセス識別情報を受信するランダムアクセス受信部と、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、当該ランダムアクセスレスポンスの送信先の移動局装置に割り当てられた移動局装置識別情報を使用して送信するか、特定の移動局装置に割り当てられていない識別情報であって、ランダムアクセスレスポンス送信用に割り当てられた識別情報を使用して送信するかを決定するスケジューリング部と、前記スケジューリング部の決定に従い、前記ランダムアクセスレスポンス情報を配置して送信する送信部とを具備することを特徴とする。【００２４】
また、本発明のプログラムは、移動局装置と無線通信する基地局装置であって、当該基地局装置が前記移動局装置に割り当てたランダムアクセス識別情報と、該移動局装置を識別する移動局装置識別情報とを対応付けて記憶するランダムアクセス識別情報記憶部を具備する基地局装置が具備するコンピュータを、前記移動局装置がランダムアクセスにより送信したランダムアクセス識別情報を受信するランダムアクセス受信部、受信した前記ランダムアクセス識別情報が前記ランダムアクセス識別情報記憶部に前記移動局装置識別情報と対応付けて記憶されているときは、該受信したランダムアクセス識別情報の前記ランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部、前記スケジューリング部の決定に従い、前記ランダムアクセスレスポンス情報を配置して送信する送信部として機能させる。【００２５】
また、本発明のプログラムは、基地局装置と無線通信する移動局装置であって、移動局装置が送信するランダムアクセスを識別するランダムアクセス識別情報を記憶するランダムアクセス識別情報記憶部を具備する移動局装置が具備するコンピュータを、前記ランダムアクセス識別情報記憶部が記憶しているランダムアクセス識別情報、または当該移動局装置で決定したランダムアクセス識別情報をランダムアクセスにより送信する送信部と、当該移動局装置で決定したランダムアクセス識別情報を前記送信部が送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンス情報を抽出し、前記ランダムアクセス識別情報記憶部が記憶しているランダムアクセス識別情報を前記送信部が送信したときは、特定の移動局装置に割り当てられていない識別情報であってランダムアクセスレスポンス送信用に割り当てられた識別情報と、当該移動局装置に割り当てられた識別情報とのいずれかを検出し、検出した該識別情報のランダムアクセスレスポンスから当該移動局装置宛てのランダムアクセスレスポンスを抽出するランダムアクセスレスポンス受信部として機能させる。【００２６】
また、本発明のランダムアクセスレスポンス送信方法は、移動局装置と無線通信し、当該基地局装置が前記移動局装置に割り当てたランダムアクセス識別情報と、該移動局装置を識別する移動局装置識別情報とを対応付けて記憶するランダムアクセス識別情報記憶部を具備する基地局装置におけるランダムアクセスレスポンス送信方法において、前記基地局装置が、前記移動局装置がランダムアクセスにより送信したランダムアクセス識別情報を受信する第１の過程と、前記基地局装置が、受信した前記ランダムアクセス識別情報が前記ランダムアクセス識別情報記憶部に前記移動局装置識別情報と対応付けて記憶されているときは、該受信したランダムアクセス識別情報の前記ランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定する第２の過程と、前記基地局装置が、前記第２の過程による決定に従い、前記ランダムアクセスレスポンス情報を配置して送信する第３の過程とを具備することを特徴とする。【００２７】
また、本発明の基地局装置と無線通信し、移動局装置が送信するランダムアクセスを識別するランダムアクセス識別情報を記憶するランダムアクセス識別情報記憶部を具備する移動局装置におけるランダムアクセスレスポンス受信方法において、前記移動局装置が、前記ランダムアクセス識別情報記憶部が記憶しているランダムアクセス識別情報、または当該移動局装置で決定したランダムアクセス識別情報をランダムアクセスにより送信する第１の過程と、前記移動局装置が、前記第１の過程にて当該移動局装置で決定したランダムアクセス識別情報を送信したときは、特定の移動局装置に割り当てられていない識別情報であって、ランダムアクセスレスポンス送信用に割り当てられた識別情報を検出し、検出した該識別情報のランダムアクセスレスポンスから当該移動局装置宛てのランダムアクセスレスポンスを抽出し、前記第１の過程にて前記ランダムアクセス識別情報記憶部が記憶しているランダムアクセス識別情報を送信したときは、特定の移動局装置に割り当てられていない識別情報であってランダムアクセスレスポンス送信用に割り当てられた識別情報と、当該移動局装置に割り当てられた移動局装置識別情報とのいずれかを検出し、検出した該識別情報のランダムアクセスレスポンスから当該移動局装置宛てのランダムアクセスレスポンスを抽出する第２の過程とを具備することを特徴とする。
【発明の効果】
【００２８】
本発明の基地局装置は、ランダムアクセスレスポンス情報各々を、ランダムアクセスレスポンス送信用に割り当てられた識別情報を使用することで伝送効率をあげ、かつ、１つのランダムアクセスレスポンス情報が１つのランダムアクセスレスポンスを占有するときは、ランダムアクセス識別情報に対応した移動局装置識別情報を使用して送信するようにすることで、該ランダムアクセスレスポンス情報の再送処理を可能として信頼性をあげ、効率の良いランダムアクセスレスポンス情報の送受信を行うことができる利点がある。
【図面の簡単な説明】
【００２９】
【図１】この発明の一実施形態による無線通信システムのランダムアクセス時の動作を説明するシーケンス図である。
【図２】同実施形態における基地局装置の動作を説明するフローチャートである。
【図３】同実施形態における移動局装置の動作を説明するフローチャートである。
【図４】同実施形態における基地局装置の構成を示す概略ブロック図である。
【図５】同実施形態における移動局装置の構成を示す概略ブロック図である。
【図６】同実施形態における移動局装置の制御データ抽出部５６のランダムアクセスレスポンスメッセージを受信する構成を示す概略ブロック図である。
【図７】ＥＵＴＲＡにおける上りリンクおよび下りリンクのチャネル構成を示す図である。
【図８】ＥＵＴＲＡにおける上りリンクの無線リソース構成例を示した図である。
【図９】ＥＵＴＲＡにおける非同期ランダムアクセスのＣｏｎｔｅｎｔｉｏｎｅｄ  ｂａｓｅｄ  Ｒａｎｄｏｍ  Ａｃｃｅｓｓの手順例である。
【図１０】ＥＵＴＲＡにおけるＲＡ−ＲＮＴＩにて配置を通知したときのランダムアクセスレスポンスの下りリンク共用チャネルＰＤＳＣＨへの配置例である。
【図１１】ＥＵＴＲＡにおける非同期ランダムアクセスのＮｏｎ−ｃｏｎｔｅｎｔｉｏｎｅｄ  ｂａｓｅｄ  Ｒａｎｄｏｍ  Ａｃｃｅｓｓの手順例である。
【符号の説明】
【００３０】
１０…基地局装置  １１…データ制御部  １２…ＯＦＤＭ変調部  １３…スケジューリング部  １４…チャネル推定部  １５…ＤＦＴ−Ｓ−ＯＦＤＭ復調部  １６…制御データ抽出部  １７…プリアンブル検出部  １８…無線部  １９…シグネチャＩＤ番号記憶部  ２０…送信部  ２１…ＤＬスケジューリング部  ２２…ＵＬスケジューリング部  ２３…メッセージ作成部  ３１…Ｃ−ＲＮＴＩ検出部  ３２…ＲＡ−ＲＮＴＩ検出部  ３３…Ｃ−ＲＮＴＩ−ＲＡ−ＲＮＴＩ検出部  ３４…検出切替部  ３５…抽出部  ５０…移動局装置  ５１…データ制御部  ５２…ＤＦＴ−Ｓ−ＯＦＤＭ変調部  ５３…スケジューリング部  ５４…ＯＦＤＭ復調部  ５５…チャネル推定部  ５６…制御データ抽出部  ５７…同期補正部  ５８…プリアンブル生成部  ５９…シグネチャ選択部  ６０…無線部  ６１…シグネチャＩＤ番号記憶部  ７０…送信部
【発明を実施するための最良の形態】
【００３１】
以下、図面を参照して、本発明の実施の形態について説明する。本実施形態における無線通信システムは、第三世代無線アクセスの進化ＥＵＴＲＡと同様に、基地局装置と複数の移動局装置とからなる。本実施形態において、移動局装置から基地局装置への通信接続を「上りリンク」といい、基地局装置から移動局装置への通信接続を「下りリンク」という。本実施形態における下りリンクは、下りリンクパイロットチャネルＤＰｉＣＨ、下りリンク同期チャネルＤＳＣＨ、下りリンク共用チャネルＰＤＳＣＨ、下りリンク制御チャネルＰＤＣＣＨ、共通制御チャネルＣＣＰＣＨにより構成されている。また、本実施形態における上りリンクは、上りリンクパイロットチャネルＵＰｉＣＨ、ランダムアクセスチャネルＲＡＣＨ、上りリンク共用チャネルＰＵＳＣＨ、上りリンク制御チャネルＰＵＣＣＨにより構成されている。【００３２】
本実施形態においては、前述したところと同様に無線リソースを、周波数方向の幅１．２５ＭＨｚ、時間方向の幅１ｍｓのリソースブロックと呼ばれる領域に分割する。基地局装置は、これらのリソースブロックを各移動局装置に割当てるスケジューリングを行い、各移動局装置との無線通信を行う。しかし、上りリンクの時間同期が外れたときなどに、移動局装置は基地局装置からリソースブロックを割り当てられていない状態で、ランダムアクセスチャネルＲＡＣＨにて基地局装置に送信を行う。【００３３】
なお、本実施形態では、下りリンクの通信方式にＯＦＤＭＡ、上りリンクの通信方式にＤＦＴ−Ｓ−ＯＦＤＭを用いているため、リソースブロック（ブロック）は、無線リソースを周波数方向と時間方向とに分割した領域となっているが、通信方式が、ＴＤＭＡ（Ｔｉｍｅ  Ｄｉｖｉｓｉｏｎ  Ｍｕｌｔｉｐｌｅ  Ａｃｃｅｓｓ）であれば、リソースブロックは無線リソースを時間方向に分割した領域である。また、通信方式が、ＦＤＭＡ（Ｆｒｅｑｕｅｎｃｙ  Ｄｉｖｉｓｉｏｎ  Ｍｕｌｔｉｐｌｅ  Ａｃｃｅｓｓ）であれば、リソースブロックは無線リソースを周波数方向に分割した領域である。また、通信方式が、ＣＤＭＡ（Ｃｏｄｅ  Ｄｉｖｉｓｉｏｎ  Ｍｕｌｔｉｐｌｅ  Ａｃｃｅｓｓ）であれば、リソースブロックは無線リソースを拡散コードにて分割した領域である。【００３４】
本実施形態におけるランダムアクセスチャネルＲＡＣＨには、非同期ランダムアクセスチャネルと同期ランダムアクセスチャネルがある。非同期ランダムアクセスチャネルは、移動局装置−基地局装置間を同期させることを目的とする。また、同期ランダムアクセスは、スケジューリングリクエストを行うことを目的とする。
さらに、非同期ランダムアクセスには、Ｃｏｎｔｅｎｔｉｏｎｅｄ  ｂａｓｅｄ  Ｒａｎｄｏｍ  ＡｃｃｅｓｓとＮｏｎ−ｃｏｎｔｅｎｔｉｏｎｅｄ  ｂａｓｅｄ  Ｒａｎｄｏｍ  Ａｃｃｅｓｓの２つのアクセス方法がある。Ｃｏｎｔｅｎｔｉｏｎｅｄ  ｂａｓｅｄ  Ｒａｎｄｏｍ  Ａｃｃｅｓｓは、移動局装置がシグネチャＩＤ番号を決定して送信するため、移動局装置間で衝突する可能性のあるランダムアクセスである。【００３５】
Ｎｏｎ−ｃｏｎｔｅｎｔｉｏｎｅｄ  ｂａｓｅｄ  Ｒａｎｄｏｍ  Ａｃｃｅｓｓは、基地局装置に指定されたシグネチャＩＤ番号を移動局装置は送信するので、移動局装置間で衝突が発生しないランダムアクセスである。ここで、Ｎｏｎ−ｃｏｎｔｅｎｔｉｏｎｅｄ  ｂａｓｅｄ  Ｒａｎｄｏｍ  Ａｃｃｅｓｓで用いるシグネチャＩＤ番号は、予めいくつか決まっており、そのシグネチャＩＤ番号は、Ｃｏｎｔｅｎｔｉｏｎｅｄ  ｂａｓｅｄ  Ｒａｎｄｏｍ  Ａｃｃｅｓｓでは使用しない。従って、シグネチャＩＤ番号を見れば、Ｃｏｎｔｅｎｔｉｏｎｅｄ  ｂａｓｅｄ  Ｒａｎｄｏｍ  Ａｃｃｅｓｓなのか、Ｎｏｎ−ｃｏｎｔｅｎｔｉｏｎｅｄ  ｂａｓｅｄ  Ｒａｎｄｏｍ  Ａｃｃｅｓｓなのかを判定することができる。【００３６】
図１は、Ｎｏｎ−Ｃｏｎｔｅｎｔｉｏｎ  ｂａｓｅｄ  Ｒａｎｄｏｍ  Ａｃｃｅｓｓによる上りリンクの時間同期を説明するシーケンス図である。基地局装置は、移動局装置にＮｏｎ−Ｃｏｎｔｅｎｔｉｏｎ  ｂａｓｅｄ  Ｒａｎｄｏｍ  Ａｃｃｅｓｓを行わせる場合、まず、対象の移動局装置に、プリアンブル割当にてシグネチャＩＤ番号を通知する（Ｍ１）。移動局装置は、このプリアンブル割当を受信すると、このプリアンブル割当にて基地局装置から指定されたシグネチャＩＤ番号のプリアンブルを送信する（Ｍ２）。【００３７】
基地局装置は、移動局装置が送信した上記プリアンブルを検出する。ここで、プリアンブルとは、シグネチャＩＤ番号に応じた信号パターンであり、基地局装置は、各シグネチャＩＤ番号の信号パターンと一致する信号を受信信号から検出することで、プリアンブルを検出する。基地局装置は、このプリアンブルに基づき、同時にＮｏｎ−Ｃｏｎｔｅｎｔｉｏｎ  ｂａｓｅｄ  Ｒａｎｄｏｍ  Ａｃｃｅｓｓした移動局装置の数を判定し、該判定結果に基づきランダムアクセスレスポンスメッセージ（ランダムアクセスレスポンス情報）をＣ−ＲＮＴＩで送信するか、ＲＡ−ＲＮＴＩで送信するか、また、Ｃ−ＲＮＴＩでの送信とＲＡ−ＲＮＴＩでの送信の両方を使用するか決定し、該決定に従い各移動局装置にランダムアクセスレスポンスメッセージを送信する（Ｍ３）。【００３８】
Ｃ−ＲＮＴＩを使用した場合、ランダムアクセスレスポンスメッセージのＡＣＫが返ってこなければ、基地局装置は、ハイブリッド自動再送ＨＡＲＱの最大再送回数までランダムアクセスレスポンスメッセージの再送を行う。一方、Ｎｏｎ−Ｃｏｎｔｅｎｔｉｏｎ  ｂａｓｅｄ  Ｒａｎｄｏｍ  Ａｃｃｅｓｓした移動局装置、すなわちプリアンブルを送信した移動局装置は、Ｃ−ＲＮＴＩとＲＡ−ＲＮＴＩの両方を監視し、ランダムアクセスレスポンスメッセージを受信した場合、上りリンクの同期を補正する。なお、移動局装置は、Ｃ−ＲＮＴＩでランダムアクセスレスポンスメッセージを受信した場合は、ＡＣＫを基地局に返す（Ｍ４）。【００３９】
ここで、Ｃ−ＲＮＴＩでの送信とは、基地局装置と通信状態の各移動局装置に割り当てられたＣ−ＲＮＴＩを使用してリソースの割り当てを行ったリソースブロックに、すなわち特定の移動局装置に割り当てられたリソースブロックにランダムアクセスレスポンスメッセージを配置して送信することである。このとき用いるＣ−ＲＮＴＩは、シーケンスＭ２にて受信したプリアンブルのシグネチャＩＤ番号と対応付けて基地局装置で管理している移動局装置識別情報Ｃ−ＲＮＴＩである。これにより、このＣ−ＴＲＮＴＩで識別される移動局装置であって、基地局装置でこの移動局装置識別情報Ｃ−ＲＮＴＩと対応付けて管理されているシグネチャＩＤ番号のプリアンブルをシーケンスＭ２で送信した移動局装置のみが、シーケンスＭ３にて該Ｃ−ＲＮＴＩを受信し、該Ｃ−ＲＮＴＩにて割り当てられたリソースブロックに格納されているランダムアクセスレスポンスメッセージを取得できる。【００４０】
一方、ＲＡ−ＲＮＴＩでの送信とは、ランダムアクセスした移動局装置への応答用に割り当てられたＲＡ−ＲＮＴＩを使用してリソースの割り当てを指定したランダムアクセスレスポンスのリソースブロックに、すなわちランダムアクセスレスポンス送信用に割り当てられたリソースブロックにランダムアクセスレスポンスメッセージを配置して送信することである。ＲＡ−ＲＮＴＩで送信することにより、プリアンブルを送信した移動局装置は、該ＲＡ−ＲＮＴＩを受信し、該ＲＡ−ＲＮＴＩにて割り当てられたリソースブロックに格納されているランダムアクセスレスポンスメッセージのうち、自装置が送信したプリアンブルのシグネチャＩＤ番号とシグネチャＩＤ番号が一致するものを取得することで、自装置の送信したプリアンブルに対するランダムアクセスレスポンスメッセージを受信できる。【００４１】
従って、Ｃ−ＲＮＴＩでの送信は、基地局装置がシグネチャＩＤ番号と移動局装置との対応を知っていなければならないため、Ｎｏｎ−Ｃｏｎｔｅｎｔｉｏｎ  ｂａｓｅｄ  Ｒａｎｄｏｍ  Ａｃｃｅｓｓの場合にのみ用いることができる。一方、ＲＡ−ＲＮＴＩでの送信は、基地局装置はシグネチャＩＤ番号と移動局装置との対応が不明のままで行うことができるため、Ｎｏｎ−Ｃｏｎｔｅｎｔｉｏｎ  ｂａｓｅｄ  Ｒａｎｄｏｍ  Ａｃｃｅｓｓ、Ｃｏｎｔｅｎｔｉｏｎ  ｂａｓｅｄ  Ｒａｎｄｏｍ  Ａｃｃｅｓｓいずれの場合でも用いることができる。【００４２】
図２は、基地局装置の動作を説明するフローチャートである。基地局装置は、プリアンブルを受信すると、受信したプリアンブルのシグネチャＩＤ番号の中に、Ｎｏｎ−Ｃｏｎｔｅｎｔｉｏｎ  ｂａｓｅｄ  Ｒａｎｄｏｍ  ＡｃｃｅｓｓのシグネチャＩＤ番号があるか否かを判定する。この判定により、Ｎｏｎ−Ｃｏｎｔｅｎｔｉｏｎ  ｂａｓｅｄ  Ｒａｎｄｏｍ  Ａｃｃｅｓｓを送信した移動局装置があるか否かを判断する（Ｓａ１）。Ｎｏｎ−Ｃｏｎｔｅｎｔｉｏｎ  ｂａｓｅｄ  Ｒａｎｄｏｍ  ＡｃｃｅｓｓのシグネチャＩＤ番号を送信した移動局装置がない場合（Ｓａ１−Ｎｏ）、基地局装置は、ランダムアクセスレスポンスに使用するＲＮＴＩをＲＡ−ＲＮＴＩを使用することに決定し（Ｓａ２）、ＲＡ−ＲＮＴＩにて指定したリソースブロックにランダムアクセスレスポンスメッセージを作成し、移動局装置に送信する（Ｓａ３）。【００４３】
一方、ステップＳａ１にて、Ｎｏｎ−Ｃｏｎｔｅｎｔｉｏｎ  ｂａｓｅｄ  Ｒａｎｄｏｍ  ＡｃｃｅｓｓのシグネチャＩＤ番号があると判定し、Ｎｏｎ−Ｃｏｎｔｅｎｔｉｏｎ  ｂａｓｅｄ  Ｒａｎｄｏｍ  Ａｃｃｅｓｓを送信した移動局装置があると判断した場合（Ｓａ１−Ｙｅｓ）、ランダムアクセスした移動局装置、すなわち同時にランダムアクセスレスポンスメッセージを送信する移動局装置の数をｎで割ると余りが「１」であるか否かを判定する（Ｓａ４）。余りが「１」であると判定した場合（Ｓａ４−Ｙｅｓ）、基地局装置は、Ｎｏｎ−Ｃｏｎｔｅｎｔｉｏｎ  ｂａｓｅｄ  Ｒａｎｄｏｍ  Ａｃｃｅｓｓのプリアンブルのうちの１つに対するランダムアクセスレスポンスメッセージをＣ−ＲＮＴＩでの送信とし、残りをＲＡ−ＲＮＴＩでの送信とすることを決定する（Ｓａ５）。基地局装置は、ステップＳａ５での決定に従い、ランダムアクセスレスポンスメッセージを作成する（Ｓａ６）。【００４４】
一方、ステップＳａ４の判定にて、ランダムアクセスした移動局装置の数をｎで割った余りが「１」でないと判定した場合（Ｓａ４−Ｎｏ）、基地局装置は、ＲＡ−ＲＮＴＩを割り当てることを決定する（Ｓａ７）、ランダムアクセスレスポンスメッセージを作成する（Ｓａ８）。ここで、ｎは、１リソースブロックにランダムアクセスレスポンスメッセージを含めることのできる最大数である。
なお、ここでは、ランダムアクセスを行った移動局装置の数でＣ−ＲＮＴＩとＲＡ−ＲＮＴＩの割り当てを分けたが、Ｃ−ＲＮＴＩとＲＡ−ＲＮＴＩの割り当ては、下りリンクのトラフィック量を考慮して、下りリンクのトラフィックが多い場合つまりランダムアクセスレスポンスメッセージを送信できるリソースブロックが少ない場合は、Ｎｏｎ−Ｃｏｎｔｅｎｔｉｏｎ  ｂａｓｅｄ  Ｒａｎｄｏｍ  Ａｃｃｅｓｓした移動局装置が複数移動局装置存在すると、Ｃ−ＲＮＴＩを使用するとＮｏｎ−Ｃｏｎｔｅｎｔｉｏｎ  ｂａｓｅｄ  Ｒａｎｄｏｍ  Ａｃｃｅｓｓした移動局装置分のリソースブロックが必要となり、リソースブロックが不足する場合があるので、１リソースブロックに複数のランダムアクセスレスポンスメッセージを含めることができるＲＡ−ＲＮＴＩを優先的に割り当て、トラフィック量が少ない場合つまりランダムアクセスレスポンスメッセージを送信できるリソースブロックが多数ある場合は、ＲＡ−ＲＮＴＩを使用するとＣ−ＲＮＴＩに比べランダムアクセスレスポンスメッセージの信頼性が低いのでランダムアクセスレスポンスメッセージの信頼性を向上させるためにＣ−ＲＮＴＩを優先的に割り当てるようにしてもよい。【００４５】
図３は、移動局装置の動作を説明するフローチャートである。移動局装置は、非同期ランダムアクセスのプリアンブル送信後、基地局装置からのランダムアクセスレスポンスメッセージを受信するために下りリンクをモニタリング（監視する）する。まず、移動局装置は、当該移動局装置が行ったランダムアクセスがＮｏｎ−ｃｏｎｔｅｎｔｉｏｎ  ｂａｓｅｄ  Ｒａｎｄｏｍ  Ａｃｃｅｓｓであるか否かを判定する（Ｓｂ１）。ステップＳｂ１の判定にて、Ｎｏｎ−ｃｏｎｔｅｎｔｉｏｎ  ｂａｓｅｄ  Ｒａｎｄｏｍ  Ａｃｃｅｓｓでないと判定した場合（Ｓｂ１−Ｎｏ）、移動局装置は、ＲＡ−ＲＮＴＩをモニタリングする（Ｓｂ２）。ただし、ある一定期間にＲＡ−ＲＮＴＩが検出しない場合や、ＲＡ−ＲＮＴＩを検出しても自局が送信したシグネチャＩＤ番号（または、ランダムＩＤ）が含まれていない場合は、タイムアウトとなり、移動局装置は、再度ランダムアクセスを行う（該パスは図示を省略）。【００４６】
移動局装置は、ＲＡ−ＲＮＴＩを検出すると該ＲＡ−ＲＮＴＩにてリソースの割り当てが指定されているリソースブロックの下りリンク共用チャネルＰＤＳＣＨの巡回冗長検査ＣＲＣ（Ｃｙｃｌｉｃ  Ｒｅｄｕｎｄａｎｃｙ  Ｃｈｅｃｋ）のチェックを行い、巡回冗長検査ＣＲＣチェックの成功、失敗を判定する（Ｓｂ３）。移動局装置は、この巡回冗長検査ＣＲＣチェックを失敗と判定すると（Ｓｂ３−Ｎｏ）、ステップＳｂ２に戻って、再度ＲＡ−ＲＮＴＩをモニタリングする。一方、ステップＳｂ３にて巡回冗長検査ＣＲＣチェックを成功と判定すると（Ｓｂ３−Ｙｅｓ）、移動局装置は、自局がプリアンブルにて送信したシグネチャＩＤ番号と同じシグネチャＩＤ番号が、巡回冗長検査ＣＲＣのチェックに成功した下りリンク共用チャネルＰＤＳＣＨに入っているか否かを判定する（Ｓｂ４）。【００４７】
このステップＳｂ４にて、自局が送信したシグネチャＩＤ番号と同じシグネチャＩＤ番号が入っていると判定した場合（Ｓｂ４−Ｙｅｓ）、移動局装置は、このシグネチャＩＤ番号とともに下りリンク共用チャネルＰＤＳＣＨからランダムアクセスレスポンスメッセージを取得して、これを処理する（同期タイミングずれ情報から上りリンクの同期を補正し、Ｌ２／Ｌ３メッセージを作成し、送信する）（Ｓｂ５）。一方、このステップＳｂ４にて、自局が送信したシグネチャＩＤ番号と同じシグネチャＩＤ番号が入っていないと判定した場合（Ｓｂ４−Ｎｏ）、ステップＳｂ２に戻って、移動局装置はＲＡ−ＲＮＴＩをモニタリングする（該パスは図示を省略）。【００４８】
一方、ステップＳｂ１にて移動局装置が行ったランダムアクセスがＮｏｎ−Ｃｏｎｔｅｎｔｉｏｎ−ｂａｓｅｄであると判定した場合（Ｓｂ１−Ｙｅｓ）、移動局装置は、Ｃ−ＲＮＴＩとＲＡ−ＲＮＴＩとをモニタリングする（Ｓｂ６）。ある一定期間にＣ−ＲＮＴＩおよびＲＡ−ＲＮＴＩを検出しない場合や、ＲＡ−ＲＮＴＩを検出しても自局が送信したシグネチャＩＤ番号（または、ランダムＩＤ）が含まれていない場合は、タイムアウトとなり、移動局装置は、再度ランダムアクセスを行う。【００４９】
Ｃ−ＲＮＴＩを検出した場合（Ｓｂ７−Ｙｅｓ）、移動局装置は、検出したＣ−ＲＮＴＩにてリソースの割り当てが指定されているリソースブロックの下りリンク共用チャネルＰＤＳＣＨの巡回冗長検査ＣＲＣのチェックを行い、その成功、失敗を判定する（Ｓｂ８）。ステップＳｂ８にて失敗と判定すると（Ｓｂ８−Ｎｏ）、ステップＳｂ６に戻り、移動局装置は、再度Ｃ−ＲＮＴＩとＲＡ−ＲＮＴＩとをモニタリングする。一方、ステップＳｂ８にて成功と判定すると（Ｓｂ８−Ｙｅｓ）、移動局装置は、同期ずれ情報から同期を補正し（Ｓｂ９）、基地局装置にＡＣＫ（肯定確認信号）を返す（Ｓｂ１０）。【００５０】
また、ステップＳｂ７にて、Ｃ−ＲＮＴＩではなくＲＡ−ＲＮＴＩを検出した場合（Ｓｂ７−Ｎｏ）、検出したＲＡ−ＲＮＴＩにてリソースの割り当てが指定されているリソースブロックの下りリンク共用チャネルＰＤＳＣＨの巡回冗長検査ＣＲＣのチェックを行う。巡回冗長検査ＣＲＣのチェックが失敗すると（Ｓｂ１１−Ｎｏ）、ステップＳｂ６に戻って、移動局装置は、再度Ｃ−ＲＮＴＩとＲＡ−ＲＮＴＩとをモニタリングする。一方、ステップＳｂ１１にて巡回冗長検査ＣＲＣチェックが成功すると（Ｓｂ１１−Ｙｅｓ）、移動局装置は、自局が送信したプリアンブルのシグネチャＩＤ番号と同じシグネチャＩＤ番号が、巡回冗長検査ＣＲＣのチェックを行った下りリンク共用チャネルＰＤＳＣＨに入っているか否かを確認する（Ｓｂ１２）。【００５１】
このステップＳｂ１２にて、自局が送信したシグネチャＩＤ番号と同じシグネチャＩＤ番号が入っていると判定した場合（Ｓｂ１２−Ｙｅｓ）、移動局装置は、このシグネチャＩＤ番号とともに下りリンク共用チャネルＰＤＳＣＨからランダムアクセスレスポンスメッセージを取得して、該ランダムアクセスレスポンスメッセージから抽出した同期ずれ情報を用いて同期を補正する（Ｓｂ１３）。一方、このステップＳｂ１２にて、自局が送信したシグネチャＩＤ番号と同じシグネチャＩＤ番号が入っていないと判定した場合（Ｓｂ１２−Ｎｏ）、ステップＳｂ６に戻って、移動局装置はＣ−ＲＮＴＩとＲＡ−ＲＮＴＩとをモニタリングする。【００５２】
図４は、基地局装置１０の構成を示す概略ブロック図である。基地局装置１０は、データ制御部１１、ＯＦＤＭ変調部１２、スケジューリング部１３、チャネル推定部１４、ＤＦＴ−Ｓ−ＯＦＤＭ（ＤＦＴ−ｓｐｒｅａｄ  ＯＦＤＭ）復調部１５、制御データ抽出部１６、プリアンブル検出部１７、無線部１８、シグネチャＩＤ番号記憶部１９を具備する。スケジューリング部１３は、ＤＬスケジューリング部２１、ＵＬスケジューリング部２２、メッセージ作成部２３を具備する。【００５３】
データ制御部１１は、入力されたユーザーデータ（ランダムアクセスレスポンスとプリアンブル割当を含む）と制御データをスケジューリング部１３からの指示に従い、制御データを下りリンクパイロットチャネルＤＰｉＣＨ、下りリンク同期チャネルＤＳＣＨ、下りリンク制御チャネルＰＤＣＣＨ、共通制御チャネルＣＣＰＣＨにマッピングし、各移動局装置に対するユーザーデータを下りリンク共用チャネルＰＤＳＣＨにマッピングする。
ＯＦＤＭ変調部１２は、各チャネルにマッピングされたユーザーデータ、制御データに対して、データ変調、直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）変換、ＣＰ（Ｃｙｃｌｉｃ  Ｐｒｅｆｉｘ）挿入、フィルタリングなどのＯＦＤＭ信号処理を行い、ＯＦＤＭ信号を生成する。
無線部１８は、ＯＦＤＭ信号を無線周波数にアップコンバートして、アンテナ（図示せず）を介して移動局装置に送信する。本実施形態では、データ制御部１１とＯＦＤＭ制御部１２とで、送信部２０として機能する。【００５４】
また、無線部１８は、移動局装置からの上りリンクの信号をアンテナを介して受信し、この受信した信号をベースバンド信号にダウンコンバートして、ベースバンド信号をＤＦＴ−Ｓ−ＯＦＤＭ復調部１５、チャネル推定部１４、プリアンブル検出部１７に渡す。チャネル推定部１４は、ベースバンド信号中の上りリンクパイロットチャネルＵＰｉＣＨから無線伝搬路特性を推定し、ＤＦＴ−Ｓ−ＯＦＤＭ復調部１５に無線伝搬路推定結果を渡す。また、チャネル推定部１４は、上りリンクパイロットチャネルＵＰｉＣＨから上りリンクのスケジューリングを行うために無線伝搬路推定結果をスケジューリング部１３に渡す。ＤＦＴ−Ｓ−ＯＦＤＭ復調部１５は、無線伝搬路推定結果と制御データ抽出部１６からの指示に基づき、ベースバンド信号を、ＤＦＴ−ｓｐｒｅａｄ  ＯＦＤＭ復調して受信データを生成する。なお、本実施形態において、上りリンクの通信方式は、シングルキャリア方式であるＤＦＴ−ｓｐｒｅａｄ  ＯＦＤＭを用いているが、ＯＦＤＭ方式のようなマルチキャリア方式であってもよい。【００５５】
制御データ抽出部１６は、受信データの正誤を確認し、確認結果をスケジューリング部１３に通知する。制御データ抽出部１６は、受信データが正しい場合、受信データをユーザーデータと制御データに分離する。制御データ抽出部１６は、制御データの中で下りリンクのＣＱＩ情報、下りリンクデータのＡＣＫ／ＮＡＣＫ、リソース割当て要求などのレイヤー２の制御データはスケジューリング部１３に渡され、その他のレイヤー３等の制御データとユーザーデータは上位層に出力する。制御データ抽出部１６は、受信データが誤りの場合、再送データと合成するために保存しておき、再送データを受信した時に合成処理を行う。【００５６】
プリアンブル検出部（ランダムアクセス受信部）１７は、ベースバンド信号からプリアンブルを検出し、該プリアンブルに基づき同期タイミングずれ量を算出し、該プリアンブルが表すシグネチャＩＤ番号と同期タイミングずれ量とをスケジューリング部１３に報告する。シグネチャＩＤ番号記憶部（ランダムアクセス識別情報記憶部）１９は、プリアンブル割当の送信先の移動局装置のＣ−ＲＮＴＩ（移動局装置識別情報）を、該プリアンブル割当にて指定したシグネチャＩＤ番号（ランダムアクセス識別情報）と対応付けて記憶する。【００５７】
スケジューリング部１３は、下りリンクのスケジューリングを行うＤＬスケジューリング部２１と上りリンクのスケジューリングを行うＵＬスケジューリング部２２、メッセージ作成部２３から構成され、ＤＬスケジューリング部２１は移動局装置から通知されるＣＱＩ情報や上位層から通知される各ユーザーのデータ情報、メッセージ作成部で作成される制御データから下りリンクの各チャネルにユーザーデータをマッピングするためのスケジューリングを行う。このスケジューリングには、図２にて説明した各ランダムアクセスレスポンスメッセージをＣ−ＲＮＴＩもしくはＲＡ−ＲＮＴＩのいずれかで送信するかの判定を含む。なお、ＤＬスケジューリング部２１は、ランダムアクセスレスポンスメッセージをＣ−ＲＮＴＩで送信するときは、該Ｃ−ＲＮＴＩの値として、移動局装置から受信したプリアンブルのシグネチャＩＤ番号に対応付けてシグネチャＩＤ番号記憶部１９に記憶しているＣ−ＲＮＴＩの値を用いる。【００５８】
ＵＬスケジューリング部２２は、チャネル推定部１４からの上りリンクの無線伝搬路推定結果と制御データ抽出部１６が分離した移動局装置からのリソース割り当て要求に基づき上りリンクの各チャネルにユーザーデータをマッピングするためのスケジューリングを行う。
メッセージ作成部２３は、上りリンクデータのＡＣＫ／ＮＡＣＫ、ランダムアクセスレスポンスメッセージ、プリアンブル割当などの制御データを作成する。メッセージ作成部２３は、プリアンブル割当を作成する際に、プリアンブル割当の送信先の移動局装置のＣ−ＲＮＴＩを、該プリアンブル割当にて指定するシグネチャＩＤ番号に対応付けて記憶させる。メッセージ作成部２３は、ランダムアクセスレスポンスメッセージを作成する際に、プリアンブル検出部１７から受けた同期タイミングずれ量を表す同期タイミングずれ情報およびシグネチャＩＤ番号を該ランダムアクセスレスポンスメッセージに格納する。【００５９】
図５は、移動局装置５０の構成を示す概略ブロック図である。移動局装置５０は、データ制御部５１、ＤＦＴ−Ｓ−ＯＦＤＭ変調部５２、スケジューリング部５３、ＯＦＤＭ復調部５４、チャネル推定部５５、制御データ抽出部５６、同期補正部５７、プリアンブル生成部５８、シグネチャ選択部５９、無線部６０を具備する。データ制御部５１は、入力されたユーザーデータと制御データ（プリアンブル、ＡＣＫ／ＮＡＣＫを含む）を、スケジューリング部５３からの指示に従い、ランダムアクセスチャネルＲＡＣＨ、上りリンク共用チャネルＰＵＳＣＨ、上りリンク制御チャネルＰＵＣＣＨで送られるように配置する。なお、データ制御部５１は、プリアンブルについては、ランダムアクセスチャネルＲＡＣＨ、ＡＣＫ／ＮＡＣＫについては上りリンク制御チャネルＰＵＣＣＨに配置する。さらに、データ制御部５１は、上りリンクパイロットチャネルＵＰｉＣＨを配置する。ＤＦＴ−Ｓ−ＯＦＤＭ変調部５２は、各チャネルに配置されたユーザーデータおよび制御データに対して、データ変調、ＤＦＴ変換、サブキャリアマッピング、ＩＦＦＴ変換、ＣＰ挿入、フィルタリングなどＤＦＴ−Ｓ−ＯＦＤＭ信号処理を行い、ＤＦＴ−Ｓｐｒｅａｄ−ＯＦＤＭ信号を生成する。【００６０】
同期補正部５７は、制御データ抽出部５６から渡された同期タイミングずれ情報に基づき、ＤＦＴ−Ｓｐｒｅａｄ−ＯＦＤＭ信号の送信タイミングを補正し、無線部６０に渡す。無線部６０は、無線制御部（図示せず）から指示された無線周波数に設定し、ＤＦＴ−Ｓｐｒｅａｄ−ＯＦＤＭ信号を該設定した無線周波数にアップコンバートして、基地局装置にアンテナ（図示せず）を介して送信する。また、無線部６０は、基地局からの下りリンクの信号をアンテナを介して受信し、該受信した信号をベースバンド信号にダウンコンバートして、ＯＦＤＭ復調部５４、チャネル推定部５５に渡す。チャネル推定部５５は、ベースバンド信号中の下りリンクパイロットチャネルＤＰｉＣＨを用いて無線伝搬路特性を推定し、ＯＦＤＭ復調部５４に推定結果を渡す。また、チャネル推定部５５は、基地局装置に無線伝搬路推定結果を通知する為に推定結果をＣＱＩ情報に変換し、スケジューリング部５３にＣＱＩ情報を渡す。【００６１】
ＯＦＤＭ復調部５４は、チャネル推定部５５の無線伝搬路推定結果を用いて、ベースバンド信号を復調して受信データを生成する。制御データ抽出部５６は、受信データをユーザーデータと制御データに分離する。制御データ抽出部５６は、制御データの中で上りリンクの同期タイミングずれ情報は同期補正部５７に渡し、スケジューリング情報やその他のレイヤー２の制御データ（プリアンブル割当を含む）はスケジューリング部５３に、レイヤー３制御データとユーザーデータを上位層に渡す。なお、制御データ抽出部５６のランダムアクセスレスポンスメッセージ受信に関する詳細は、図６にて説明する。スケジューリング部５３は、上位層からわたされたスケジューリング情報や基地局装置からの制御データから、上りリンクの各チャネルにデータや制御情報をマッピングするようにデータ制御部５１に指示する。【００６２】
また、スケジューリング部５３は、基地局装置にランダムアクセスする場合に、シグネチャ選択部５９にランダムアクセスを行うように指示したり、制御データ抽出部５６に受信方法を指示したりする。スケジューリング部５３は、シグネチャ選択部５９にランダムアクセスを行うように指示する際に、プリアンブル割当を受信しているとき、すなわち基地局装置からシグネチャＩＤ番号を指定されているときは、プリアンブル割当からシグネチャＩＤ番号を抽出し、該シグネチャＩＤ番号をシグネチャＩＤ番号記憶部６１に記憶させるとともに、該記憶させたシグネチャＩＤ番号を用いるようにシグネチャ選択部５９に指示し、プリアンブル割当を受信していないときは、シグネチャ選択部５９がシグネチャＩＤ番号を選択するように指示する。【００６３】
また、スケジューリング部５３は、制御データ抽出部５６に受信方法を指示する際に、プリアンブル割当を受信しているときは、Ｃ−ＲＮＴＩとＲＡ−ＲＮＴＩとをモニタしてランダムアクセスレスポンスメッセージを受信するように制御データ抽出部５６に指示し、プリアンブル割当を受信していないとき、すなわちシグネチャ選択部５９にてシグネチャＩＤ番号を選択するときは、ＲＡ−ＲＮＴＩをモニタしてランダムアクセスレスポンスメッセージを受信するように制御データ抽出部５６に指示する。【００６４】
シグネチャ選択部５９は、スケジューリング部５３からの指示により、ランダムアクセスで使用するシグネチャＩＤ番号を選択し、選択したシグネチャＩＤ番号をプリアンブル生成部５８に渡す。なお、シグネチャ選択部５９は、シグネチャＩＤ番号記憶部６１に記憶されているシグネチャＩＤ番号を用いるように指示されたときは、シグネチャＩＤ番号記憶部６１からシグネチャＩＤ番号を取得し、該シグネチャＩＤ番号をプリアンブル生成部に渡す。プリアンブル生成部５８は、シグネチャ選択部５９が選択したシグネチャＩＤ番号でプリアンブルを生成し、ＤＦＴ−Ｓ−ＯＦＤＭ変調部５２に渡す。シグネチャＩＤ番号記憶部（ランダムアクセス識別情報記憶部）６１は、プリアンブル割当から抽出したシグネチャＩＤ番号をスケジューリング部５３から受けて記憶する。【００６５】
図６は、移動局装置の制御データ抽出部（ランダムアクセスレスポンス受信部）５６のランダムアクセスレスポンスメッセージを受信する構成を示す概略ブロック図である。制御データ抽出部５６は、Ｃ−ＲＮＴＩ検出部３１、ＲＡ−ＲＮＴＩ検出部３２、Ｃ−ＲＮＴＩ−ＲＡＲＮＴＩ検出部３３、検出切替部３４、抽出部３５を具備する。Ｃ−ＲＮＴＩ検出部３１は、下りリンク制御チャネルＰＤＣＣＨの中で自局に割り当てられたＣ−ＲＮＴＩを検出し、該Ｃ−ＲＮＴＩに対応付けられた制御情報を下りリンク制御チャネルＰＤＣＣＨから抽出し、この制御情報を解析して自局に割り当てられたリソースブロックを識別する。Ｃ−ＲＮＴＩ検出部３１は、この解析結果を抽出部３５に渡す。【００６６】
ＲＡ−ＲＮＴＩ検出部３２は、下りリンク制御チャネルＰＤＣＣＨの中でＲＡ−ＲＮＴＩを検出し、該ＲＡ−ＲＮＴＩに対応付けられた制御情報を下りリンク制御チャネルＰＤＣＣＨから抽出し、この制御情報を解析してランダムアクセスレスポンスに割り当てられたリソースブロックを識別する。ＲＡ−ＲＮＴＩ検出部３２は、この解析結果を抽出部３５に渡す。
Ｃ−ＲＮＴＩ−ＲＡ−ＲＮＴＩ検出部３３は、下りリンク制御チャネルＰＤＣＣＨの中で自局に割り当てられたＣ−ＲＮＴＩ、または、ＲＡ−ＲＮＴＩを検出し、該Ｃ−ＲＮＴＩまたはＲＡ−ＲＮＴＩに対応付けられた制御情報を下りリンク制御チャネルＰＤＣＣＨから抽出し、この制御情報を解析してランダムアクセスレスポンスに割り当てられたリソースブロックを識別する。ＲＡ−ＲＮＴＩ検出部３２は、この解析結果を抽出部３５に渡す。【００６７】
検出切替部３４は、スケジューリング部５３からの指示により、検出部３１〜３３の出力のうち、抽出部３５に入力する出力を切り替える。
抽出部３５は、検出部３１〜３３の出力のうち、入力された出力である制御情報の解析結果をもとに自局に割り当てられたリソースブロックの下りリンク共用チャネルＰＤＳＣＨからデータ（ランダムアクセスレスポンスメッセージを含む）を抽出し、ランダムレスポンスに割り当てられたリソースブロックの下りリンク共用チャネルＰＤＳＣＨからシグネチャＩＤ番号記憶部６１が記憶するシグネチャＩＤ番号と一致するランダムアクセスレスポンスメッセージを抽出し、ランダムアクセスレスポンスメッセージを含む制御データ（同期タイミングずれ情報など）をスケジューリング部３５および同期補正部５７へ、ユーザーデータを上位層へ送る。【００６８】
このようにＲＡ−ＲＮＴＩにてランダムアクセスレスポンスメッセージを送信すると、同時にランダムアクセスした移動局装置に対するランダムアクセスレスポンスメッセージを１リソースブロックの下りリンク共用チャネルＰＤＳＣＨに複数移動局装置分を収容することができる。Ｃ−ＲＮＴＩにてランダムアクセスレスポンスメッセージを送信すると、通常の下りリンクのデータ送信と同じ手順になるために再送処理（ＨＡＲＱ）が使用でき、ＲＡ−ＲＮＴＩによる場合よりも応答の信頼性があがる。【００６９】
従って、ランダムアクセスした移動局装置に対する応答で、ランダムアクセスした移動局がＮｏｎ−ｃｏｎｔｅｎｔｉｏｎ  ｂａｓｅｄ  Ｒａｎｄｏｍ  Ａｃｃｅｓｓでランダムアクセスした移動局装置１台だけの移動局装置への応答の場合、ＲＡ−ＲＮＴＩではなくＣ−ＲＮＴＩを使用すると、使用するリソースが１リソースブロック分であり伝送効率が同じであり、かつ、ハイブリッド自動再送ＨＡＲＱを使用してデータの信頼性をあげることができる。これに対し、ランダムアクセスした移動局装置が、Ｎｏｎ−ｃｏｎｔｅｎｔｉｏｎ  ｂａｓｅｄ  Ｒａｎｄｏｍ  Ａｃｃｅｓｓを含み２台からｎ台（ｎは、ＲＡ−ＲＮＴＩを使用した場合に下りリンク共用チャネルＰＤＳＣＨの１リソースブロックにランダムアクセスレスポンスを収容できる数）の移動局装置への応答の場合、Ｃ−ＲＮＴＩを使用するとｎリソースブロック分の下りリンク共用チャネルＰＤＳＣＨが必要となるが、ＲＡ−ＲＮＴＩを使用すると、下りリンク共用チャネルＰＤＳＣＨの１リソースブロック分だけを使用するので、下りリンク共用チャネルＰＤＳＣＨの使用効率がよくなる。【００７０】
さらに、ｎ台を超える台数の移動局装置への応答の場合、必ず、複数リソースブロックが必要となるが、（ｋｎ＋１）台（ｋは、整数）の移動局装置への応答の場合、必ず、１移動局１リソース分を使用する場合があるので１台分をＣ−ＲＮＴＩに使用し、残りをＲＡ−ＲＮＴＩを使用する。（ｋｎ＋２）台から（ｋ＋１）×ｎ台の移動局装置への応答の場合、必ず、１リソースには複数台の応答を収容するのでＲＡ−ＲＮＴＩのみを使用する。この様にＲＡ−ＲＮＴＩとＣ−ＲＮＴＩを併用して使用することにより、ＰＤＳＣＨで使用するリソースが最小となり、データの信頼性も上がるので効率がよくなる。ランダムアクセスした移動局の数によって、ＲＡ−ＲＮＴＩ、Ｃ−ＲＮＴＩ、ＲＡ−ＲＮＴＩとＣ−ＲＮＴＩを使い分けることで効率の良いランダムアクセスレスポンスメッセージの送受信を行うことができる。【００７１】
また、図４におけるデータ制御部１１、ＯＦＤＭ変調部１２、スケジューリング部１３、チャネル推定部１４、ＤＦＴ−Ｓ−ＯＦＤＭ復調部１５、制御データ抽出部１６、プリアンブル検出部１７、および図５におけるデータ制御部５１、ＤＦＴ−Ｓ−ＯＦＤＭ変調部５２、スケジューリング部５３、ＯＦＤＭ復調部５４、チャネル推定部５５、制御データ抽出部５６、同期補正部５７、プリアンブル生成部５８、シグネチャ選択部５９の機能を実現するためのプログラムをコンピュータ読み取り可能な記録媒体に記録して、この記録媒体に記録されたプログラムをコンピュータシステムに読み込ませ、実行することによりこれら各部の処理を行ってもよい。なお、ここでいう「コンピュータシステム」とは、ＯＳや周辺機器等のハードウェアを含むものとする。【００７２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【００７３】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７４】
本発明は、携帯電話端末を移動局装置とする携帯電話システムに用いて好適であるが、これに限定されない。
【図１】
2008153095.tif 000003
【図２】
2008153095.tif 000004
【図３】
2008153095.tif 000005
【図４】
2008153095.tif 000006
【図５】
2008153095.tif 000007
【図６】
2008153095.tif 000008
【図７】
2008153095.tif 000009
【図８】
2008153095.tif 000010
【図９】
2008153095.tif 000011
【図１０】
2008153095.tif 000012
【図１１】
2008153095.tif 000013
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
移動局装置と無線通信する基地局装置において、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備し、
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、下りリンクのトラフィック量に基づき決定すること
を特徴とする基地局装置。
【請求項２】
（削除）
【請求項３】
移動局装置と無線通信する基地局装置において、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備し、
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、同時に送信するランダムアクセスレスポンス情報の数に基づき決定すること
を特徴とする基地局装置。
【請求項４】
前記スケジューリング部は、同時に送信するランダムアクセスレスポンス情報の数を、一つのランダムアクセスレスポンス内に配置可能なランダムアクセスレスポンス情報の数で割ったときの剰余が１のときは、同時に送信するランダムアクセスレスポンス情報のうち、前記ランダムアクセス識別情報記憶部が記憶するランダムアクセス識別情報のランダムアクセスに対する応答であるランダムアクセスレスポンス情報１つをその送信先の移動局装置に割り当てられた移動局装置識別情報を使用し、残りのランダムアクセスレスポンス情報をランダムアクセスレスポンス送信用に割り当てられた識別情報を使用することを特徴とする請求項３に記載の基地局装置。
【請求項５】
基地局装置と無線通信する移動局装置において、
移動局装置が送信するランダムアクセスを識別するランダムアクセス識別情報であって、当該移動局装置に割り当てられたランダムアクセス識別情報の、ランダムアクセスによる送信を行なったときは、特定の移動局装置に割り当てられていない識別情報であって、移動局装置が行なったランダムアクセスに対する応答であるランダムアクセスレスポンス送信用に割り当てられた識別情報と、当該移動局装置に割り当てられた移動局装置識別情報とをモニタすること
を特徴とする移動局装置。
【請求項６】
移動局装置と無線通信する基地局装置と前記移動局装置とを具備する無線通信システムにおいて、
前記移動局装置は、
移動局装置が送信するランダムアクセスを識別するランダムアクセス識別情報であって、当該移動局装置に割り当てられたランダムアクセス識別情報の、ランダムアクセスによる送信を行なったときは、特定の移動局装置に割り当てられていない識別情報であって移動局装置が行なったランダムアクセスに対する応答であるランダムアクセスレスポンス送信用に割り当てられた識別情報と、当該移動局装置に割り当てられた移動局装置識別情報とをモニタし、
前記基地局装置は、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、当該ランダムアクセスレスポンスの送信先の移動局装置に割り当てられた移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備することを特徴とする無線通信システム。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
移動局装置と無線通信する基地局装置において、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備し、
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、下りリンクのトラフィック量に基づき決定すること
を特徴とする基地局装置。
【請求項２】
（削除）
【請求項３】
移動局装置と無線通信する基地局装置において、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備し、
前記スケジューリング部は、受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、ランダムアクセス識別情報記憶部で記憶されているランダムアクセス識別情報に対応した移動局装置識別情報を使用して送信するか、特定の移動局装置に割り当てられていない識別情報であって、ランダムアクセスレスポンス送信用に割り当てられた識別情報を使用して送信するかを、同時に送信するランダムアクセスレスポンス情報の数に基づき決定すること
を特徴とする基地局装置。
【請求項４】
前記スケジューリング部は、同時に送信するランダムアクセスレスポンス情報の数を、一つのランダムアクセスレスポンス内に配置可能なランダムアクセスレスポンス情報の数で割ったときの剰余が１のときは、同時に送信するランダムアクセスレスポンス情報のうち、前記ランダムアクセス識別情報記憶部が記憶するランダムアクセス識別情報のランダムアクセスに対する応答であるランダムアクセスレスポンス情報１つをその送信先の移動局装置に割り当てられた移動局装置識別情報を使用し、残りのランダムアクセスレスポンス情報をランダムアクセスレスポンス送信用に割り当てられた識別情報を使用することを特徴とする請求項３に記載の基地局装置。
【請求項５】
基地局装置と無線通信する移動局装置において、
移動局装置が送信するランダムアクセスを識別するランダムアクセス識別情報であって、前記基地局装置によって指定されたランダムアクセス識別情報の、ランダムアクセスによる送信を行なったときは、特定の移動局装置に割り当てられていない識別情報であって、移動局装置が行なったランダムアクセスに対する応答であるランダムアクセスレスポンス送信用に割り当てられた識別情報と、当該移動局装置に割り当てられた移動局装置識別情報とをモニタすること
を特徴とする移動局装置。
【請求項６】
移動局装置と無線通信する基地局装置と前記移動局装置とを具備する無線通信システムにおいて、
前記移動局装置は、
移動局装置が送信するランダムアクセスを識別するランダムアクセス識別情報であって、前記基地局装置によって指定されたランダムアクセス識別情報の、ランダムアクセスによる送信を行なったときは、特定の移動局装置に割り当てられていない識別情報であって移動局装置が行なったランダムアクセスに対する応答であるランダムアクセスレスポンス送信用に割り当てられた識別情報と、当該移動局装置に割り当てられた移動局装置識別情報とをモニタし、
前記基地局装置は、
当該基地局装置が前記移動局装置に割り当てたランダムアクセス識別情報と、該移動局装置を識別する移動局装置識別情報とを対応付けて記憶するランダムアクセス識別情報記憶部と、
前記移動局装置がランダムアクセスにより送信したランダムアクセス識別情報を受信するランダムアクセス受信部と、
受信した前記ランダムアクセス識別情報が前記ランダムアクセス識別情報記憶部に前記移動局装置識別情報と対応付けて記憶されているときは、該受信したランダムアクセス識別情報のランダムアクセスに対する応答であるランダムアクセスレスポンス情報を、当該ランダムアクセスレスポンスの送信先の移動局装置に割り当てられた移動局装置識別情報を使用して送信するか、特定の移動局装置に割り当てられていない識別情報であって、ランダムアクセスレスポンス送信用に割り当てられた識別情報を使用して送信するかを決定するスケジューリング部と、
前記スケジューリング部の決定に従い、前記ランダムアクセスレスポンス情報を配置して送信する送信部と
を具備することを特徴とする無線通信システム。
【国際調査報告】
2008153095.tif 000014
2008153095.tif 000015